(57)【要約】【課題】シート供給装置を傾動させてもシート供給装置に回動自在に設けられた積載部が回動しないシート供給装置を提供する。【解決手段】原稿供給トレイ５１は、原稿供給トレイ５１の回動軸線に沿った方向に移動可能であって、保持部５４及び被保持部５５は、搬送部５０の傾動に伴って係合する一種のクラッチを構成している。保持部５４及び被保持部５５は、弾性部材の付勢力により原稿供給トレイ５１と搬送部５０とを係合保持する。【選択図】図３
2017081732.tif 000002
【特許請求の範囲】
【請求項１】
シートを搬送する搬送部と、
前記搬送部に供給されるシートが積載され、前記搬送部に対して移動可能な積載部と、
前記積載部と前記搬送部とを係合させて前記搬送部に対する前記積載部の移動を規制する係合部と、
前記係合部を係合させるように、前記積載部と前記搬送部との少なくとも一方を付勢する弾性部材と、を備えることを特徴とするシート供給装置。
【請求項２】
前記積載部は、前記搬送部に対して回動可能であり、かつ、前記搬送部に対する回動の回動軸線方向に移動可能であることを特徴とする請求項１に記載のシート供給装置。
【請求項３】
前記弾性部材の付勢に抗して前記積載部を前記回動軸線方向へ移動させることにより、前記係合部における係合が解除されて前記搬送部に対する前記積載部の回動が可能になることを特徴とする請求項２に記載のシート供給装置。
【請求項４】
前記係合部は、前記搬送部と前記積載部とのうちの一方に設けた凹部と、前記搬送部と前記積載部とのうちの他方に設けられて前記凹部に噛み合う凸部と、を有することを特徴とする請求項２又は３に記載のシート供給装置。
【請求項５】
前記凹部は、前記搬送部に対する前記積載部の回動方向に配列させて複数設けられ、
前記凸部は、複数の前記凹部にそれぞれ噛み合うように複数設けられていることを特徴とする請求項４に記載のシート供給装置。
【請求項６】
前記凸部は、前記積載部の回動半径方向の稜線を有し、
前記凹部は、前記稜線に噛み合う谷線を有することを特徴とする請求項５に記載のシート供給装置。
【請求項７】
前記凸部は、前記回動方向に配列した複数の三角柱側面を有し、
前記凹部は、前記凸部の前記複数の三角柱側面に噛み合う複数の三角柱側面を有することを特徴とする請求項４乃至６のいずれか１項に記載のシート供給装置。
【請求項８】
前記搬送部は、前記積載部におけるシートの搬送方向に沿ったリブ状の壁部を有し、
前記積載部は、前記リブ状の壁部を挟み込む溝部を有し、
前記係合部は、前記溝部の対向する一方の壁面と前記リブ状の壁部との間に設けられていることを特徴とする請求項１乃至７のいずれか１項に記載のシート供給装置。
【請求項９】
請求項１乃至８のいずれか１項に記載されたシート供給装置と、
原稿載置面を有し、当該原稿載置面上に前記シート供給装置が前記搬送部と一体に傾動可能に設けられ、前記シート供給装置によって供給されたシートから画像を読み取り可能な画像読取部と、を備え、
前記シート供給装置を前記搬送部と一体に傾動させることにより前記原稿載置面を開放可能であることを特徴とする画像読取装置。
【発明の詳細な説明】
【技術分野】
【０００１】
本発明は、積載部にシートを積載して本体処理部にシートを供給するシート供給装置、及び当該シート供給装置を装備した画像読取装置に関する。
【背景技術】
【０００２】
画像形成装置、画像読取装置、シート処理装置等には、未処理のシートを積載部に積載して１枚ずつ装置の本体処理部へ送り出すシート供給装置が装備されている（特許文献１）。
【０００３】
一般に、画像読取装置には、原稿を給送し、画像読取がされたシートを積載部の下に配置した別の積載部に排出して積載する自動原稿搬送装置（ＡＤＦ）としてのシート供給装置が記載されている。ここでは、別の積載部に排出されたシートの取り出しを容易にするために、シートの搬送機構を収容した搬送部に対して、シートが積載される積載部が上方へ回動可能に設けられている。そして、回動可能な積載部と搬送機構を覆うカバーとが係合している。
【０００４】
ところが、積載部があまりにも自在に回動可能であると、シート供給装置を開いた場合に、積載部が不意に回動してしまい、積載部の下に配置した別の積載部に排出された原稿が落下するという問題があった。
【０００５】
これに対し、積載部の回動を規制するような保持機構を備えたものが提案されている。例えば、特許文献１では、そのような保持機構の例として、シート供給装置と積載部とを係合する係合部にストッパ部材が備えられている。
【先行技術文献】
【特許文献】
【０００６】
【特許文献１】特開平１１−２０９５７号公報
【発明の概要】
【発明が解決しようとする課題】
【０００７】
しかしながら、特許文献１の構成は、ストッパ部材の係脱を要するため、係合部の係脱の操作性が悪いという問題があった。
【０００８】
本発明は、シートを搬送する搬送部と、搬送部に供給されるシートを積載する積載部と、の相対移動を規制する係合部の係脱の操作性を向上させることのできるシート供給装置を提供することを目的としている。
【課題を解決するための手段】
【０００９】
本発明のシート供給装置は、シートを搬送する搬送部と、前記搬送部に供給されるシートが積載され、前記搬送部に対して移動可能な積載部と、前記積載部と前記搬送部とを係合させて前記搬送部に対する前記積載部の移動を規制する係合部と、前記係合部を係合させるように、前記積載部と前記搬送部との少なくとも一方を付勢する弾性部材と、を備えるものである。
【発明の効果】
【００１０】
本発明によれば、シートを搬送する搬送部と、搬送部に供給されるシートを積載する積載部と、の相対移動を規制する係合部の係脱の操作性を向上させることのできるシート供給装置を提供できる。
【図面の簡単な説明】
【００１１】
【図１】実施の形態１の画像形成装置の構成の説明図である。
【図２】自動原稿搬送装置の構成の説明図である。
【図３】原稿供給トレイの回動動作の説明図である。
【図４】自動原稿搬送装置を回動させるヒンジの説明図である。
【図５】被保持部と保持部の位置関係の説明図である。
【図６】保持部の拡大図である。
【図７】被保持部の拡大図である。
【図８】原稿供給トレイの支持部の説明図である。
【図９】支持部の構成の拡大図である。
【図１０】保持部と被保持部との非係合状態の説明図である。
【図１１】保持部と被保持部の係合状態の説明図である。
【図１２】原稿押さえカバー開放時の保持部と被保持部の係合状態の説明図である。
【発明を実施するための形態】
【００１２】
以下、本発明の実施の形態を、次の順序で、添付した図面を参照して詳細に説明する。
１．画像形成装置：図１を参照して画像形成装置の構成と動作を説明する。
２．画像読取装置：図１を参照して画像読取装置の構成と動作を説明する。
３．自動原稿搬送装置：図２〜図４を参照して自動原稿搬送装置の構成と動作を説明する。
４．比較例：自動原稿搬送装置における課題を説明する。
５．保持部及び被保持部の構成と配置：図５〜図１２を参照して本発明の実施例に係る構成を説明する。
６．実施の形態１の効果：実施例の構成による効果を説明する。
７．その他の実施の形態：実施の形態１の各構成、用途の別の類型を説明する。
【００１３】
＜実施の形態１＞
（画像形成装置）
図１は実施の形態１の画像形成装置の構成の説明図である。図１に示すように、画像形成装置１０は、画像読取装置１１で読み取った原稿の画像をシートに複写可能な電子写真方式のプリンタである。
【００１４】
画像形成装置１０の画像形成部１２は、感光ドラム２０の周囲に帯電ローラ２１、露光装置２２、現像装置２３、転写ローラ２４、及びドラムクリーニング装置２５を配置している。
【００１５】
感光ドラム２０は、金属円筒の表面に感光層を形成され、矢印Ａ方向に回転駆動される。帯電ローラ２１は、直流電圧に交流電圧を重畳した振動電圧を印加されて感光ドラム２０の周面を一様な電位に帯電させる。露光装置２２は、走査線の画像信号に応じてＯＮ−ＯＦＦ変調されたレーザービームを感光ドラム２０の周面に走査して、感光ドラム２０に画像の静電潜像を形成する。
【００１６】
現像装置２３は、現像スリーブ２３ａに現像剤を担持して感光ドラム２０の静電潜像をトナー像に現像する。
【００１７】
シート給送部１３は、カセット３０に積載されたシートもしくは手差し給送トレイ１５に積載されたシートを転写部Ｔへ搬送する。カセット３０に積載されたシートＰは、ピックアップローラ３１によって取り出され、分離ローラ３２によって１枚ずつに分離されてレジストローラ３３で待機する。レジストローラ３３は、感光ドラム２０のトナー像にタイミングを合わせて転写部ＴにシートＰを給送する。
【００１８】
転写ローラ２４は、直流電圧を印加されて、感光ドラム２０に担持されたトナー像を、転写部Ｔを通過するシートに転写する。定着装置２６は、トナー像を転写されたシートを加熱加圧してシートに画像を定着させる。画像が定着されたシートは、排出ローラ３４によって排出トレイ３５へ排出される。ドラムクリーニング装置２５は、回転ブラシを感光ドラム２０に摺擦させて転写残トナーを回収する。
【００１９】
画像形成装置１０の上部に原稿の画像を読み取る画像読取装置１１が配置される。制御部１１０は、画像読取装置１１が読み取った画像情報に基づいて原稿の画像データを生成し、画像データを展開して走査線の画像信号を生成する。
【００２０】
（画像読取装置）
図１に示すように、画像読取装置１１は、プラテンガラス１６の上に、後方へ回動してプラテンガラス１６の上面を開放可能な自動原稿搬送装置１４を配置している。自動原稿搬送装置１４は、プラテンガラス１６の上に載置された原稿Ｇを押圧してプラテンガラス１６に密着させる原稿押さえカバー１７を有している。原稿押さえカバー１７の上面は、自動原稿搬送装置１４から排出された原稿を積載する排出トレイになっている。
【００２１】
画像読取ユニット１８は、主走査方向（紙面に垂直な方向）に長く形成された撮像素子と照明素子とを有する。画像読取ユニット１８は、副走査方向（右方向）に移動可能であるとともに、副走査方向の所定位置に設定された読取位置へ位置決め可能である。
【００２２】
画像読取装置１１は、固定読みモードと流し読みモードとを実行可能である。固定読みモードでは、プラテンガラス１６上に原稿Ｇを載置して原稿押さえカバー１７で押圧し、プラテンガラス１６の下で画像読取ユニット１８を副走査方向に移動させて原稿Ｇの下面の画像を読み取る。一方、流し読みモードでは、画像読取ユニット１８を所定の読取位置に停止させ、自動原稿搬送装置１４の搬送部５０によって原稿Ｄを搬送して画像読取ユニット１８上を通過させる過程で、原稿Ｄの上面の画像を連続的に読み取る。
【００２３】
（自動原稿搬送装置）
図２は自動原稿搬送装置の構成の説明図である。図３は原稿供給トレイの回動動作の説明図である。図４は自動原稿搬送装置を回動させるヒンジの説明図である。
【００２４】
図２に示すように、搬送部５０は、原稿供給トレイ５１に積載された原稿を最上位から１枚ずつ取り出して画像読取ユニット１８の上方を通過させて画像読取を行わせる。そして、画像読取が終了した原稿を原稿排出トレイ５３へ排出して積載する。
【００２５】
原稿供給トレイ５１は、先端部から搬送部５０の方向になだらかに傾斜させて、原稿供給トレイ５１に載置された原稿が搬送部５０へ容易に搬送されるようにしている。原稿排出トレイ５３は、原稿供給トレイ５１と略平行となるように、原稿押さえカバー１７の上面に一体的に形成されている。
【００２６】
原稿供給トレイ５１に載置された原稿は、画像形成装置（１０：図１）の前後方向に対して垂直な左右方向に搬送される。搬送部５０から排出される原稿は、原稿供給トレイ５１から搬送部５０に移送される搬送方向とは逆方向に排出されて、原稿排出トレイ５３に堆積される。
【００２７】
ピックアップローラ２ａは、下降して原稿供給トレイ５１に積載された最上位の原稿に当接して回転し、原稿を搬送ローラ２ｂと分離ローラ２ｃのニップ部へ送り込む。搬送ローラ２ｂは搬送方向に回転駆動されているため、最上位の原稿に当接してレジストローラ２ｄへ送り出す。一方、分離ローラ２ｃは、ワンウェイクラッチを介して搬送方向の逆方向に回転駆動されているため、最上位のシートに重送されるシートを原稿供給トレイ５１へ押し戻す。
【００２８】
レジストローラ２ｄは、原稿を、リードローラ２ｆを経てリードローラ２ｇへ受け渡す。ホワイトローラ２ｅは、プラテンガラス１６に原稿Ｇを密着させる。ホワイトローラ２ｅ下で画像を読み取られた原稿は、リードローラ２ｇから排出ローラ２ｈへ受け渡されて原稿排出トレイ５３へ排出される。
【００２９】
図３に示すように、画像読取装置１１は、自動原稿搬送装置１４によって供給されたシートから画像を読み取り可能であって、自動原稿搬送装置１４を後方へ回動して傾動させることにより原稿載置面を開放可能である。自動原稿搬送装置１４は、原稿押さえカバー１７と、搬送部５０と、原稿供給トレイ５１と、原稿排出トレイ５３と、を有する。原稿供給トレイ５１は、矢印Ｅ方向へ回動して原稿排出トレイ５３の上面を開放可能である。自動原稿搬送装置１４は、原稿供給トレイ５１が原稿押さえカバー１７に対して回動自在であるとともに、原稿押さえカバー１７と一体に画像読取装置１１に対して矢印Ｅ方向へ回動自在である。
【００３０】
図３に示すように、原稿供給トレイ５１は、搬送部５０に供給されるシートが積載され、搬送部５０に対して回動可能であり、かつ、搬送部５０に対する回動の回動軸線方向に移動可能である。係合部の一例である保持部５４及び被保持部５５は、積載部の一例である原稿供給トレイ５１と搬送部５０とを係合させて搬送部５０に対する原稿供給トレイ５１の回動を規制する。
【００３１】
図４に示すように、自動原稿搬送装置１４は、画像読取装置１１に対してヒンジ６１ａ、６１ｂを用いて回動自在に取り付けられている。画像読取部の一例である画像読取装置１１は、原稿載置面（１６）を有し、原稿載置面上にシート供給装置の一例である自動原稿搬送装置１４が図中右方向へ回動して傾動可能に設けられている。搬送部の一例である搬送部５０及び原稿押さえカバー１７は、シートの搬送機構を有し、ヒンジ６１により画像読取装置１１に対して傾動可能である。
【００３２】
（比較例）
図２に示すように、自動原稿搬送装置１４は、搬送部５０に詰まった原稿を取り除くため、あるいは定期的なメンテナンスのために、カバー５２が開閉可能になっている。カバー５２は、不用意に開かないように、原稿供給トレイ５１とカバー５２とを相互に係合させる係合機構を備えていることが望ましい。ここで、係合機構として、比較例では、特許文献１に示されるように、原稿供給トレイ５１に設けたフックがカバーに設けたピンに係合して、カバー５２を閉状態にロックする機構を備えている。そして、原稿供給トレイ５１を図３に示す矢印Ｅ方向へ回動させることにより、カバーのロックを解除できるようにしている。
【００３３】
しかし、比較例の係合機構は、原稿供給トレイ５１が実施の形態１のように回動自在であると、カバー５２のロックが外れ易くなる。比較例の画像読取装置１１において、固定読取モードを行うために、図３に示すように、原稿押さえカバー１７を図３に示す矢印Ｆ方向に回動させると、原稿供給トレイ５１が自重により図３に示す矢印Ｅ方向に大きく回動してしまう。これに伴って、カバー５２と原稿供給トレイ５１の係合が外れて、カバー５２のロックが解除されてしまう。カバー５２のロックが解除されると、原稿供給トレイ５１も回動自在になってしまって、図３に示す矢印Ｆ方向に回動させた自動原稿搬送装置１４の重心が不安定になる。
【００３４】
したがって、比較例の画像読取装置では、原稿をプラテンガラス１６上に載置するために原稿押さえカバー１７を図３に示す矢印Ｆ方向に大きく回動させると、原稿供給トレイ５１が自重で図３に示す矢印Ｅ方向に回動してしまう。その結果、原稿供給トレイ５１がばたついて自動原稿搬送装置１４の重心が不安定になったり、原稿供給トレイ５１の回動部に大きな負荷がかかったりする可能性がある。
【００３５】
そこで、実施の形態１では、被保持部５５と保持部５４とを係合させて、原稿押さえカバー１７の開放時に、原稿押さえカバー１７に対する原稿供給トレイ５１の回動を規制している。自動原稿搬送装置１４を矢印Ｆ方向へ回動させた際の原稿供給トレイ５１の回動を規制するために、原稿押さえカバー１７の被保持部５５を原稿供給トレイ５１の保持部５４に保持させている。
【００３６】
（保持部及び被保持部の構成と配置）
図５は被保持部と保持部の位置関係の説明図である。図６は保持部の拡大図である。図７は被保持部の拡大図である。図８は原稿供給トレイの支持部の説明図である。図９は支持部の構成の拡大図である。図１０は保持部と被保持部との非係合状態の説明図である。図１１は保持部と被保持部の係合状態の説明図である。図１２は原稿押さえカバー開放時の保持部と被保持部の係合状態の説明図である。
【００３７】
図５に示すように、自動原稿搬送装置１４は、原稿供給トレイ５１に設けたＵ字型の保持部５４を原稿押えカバー１７に設けたリブ状の被保持部５５に係合させることで、原稿押さえカバー１７に対する原稿供給トレイ５１の回動を規制可能である。
【００３８】
原稿供給トレイ５１は、壁部を挟み込む溝部の一例である保持部５４を有する。保持部５４は、原稿供給トレイ５１の下面に一体に形成されている。保持部５４は、原稿排出トレイ５３の奥側における原稿供給トレイ５１の下面であって原稿の搬送の妨げとならない位置に配置される。
【００３９】
原稿押さえカバー１７は、原稿供給トレイ５１におけるシートの搬送方向に沿ったリブ状の壁部４５を有する。被保持部５５は、原稿押さえカバー１７からリブ状に起立させた壁部４５と一体に形成されている。被保持部５５は、保持部５４の下方に突き出して設けられ、原稿供給トレイ５１の下面の保持部５４に当接して、原稿供給トレイ９の回動軸線に沿った方向の移動を規制する。
【００４０】
保持部５４の長さＬ１は、被保持部５５の長さＬ２よりも短い。保持部５４は、原稿供給トレイ５１の回動に伴って、被保持部５５を内側へ保持するように位置が設定されている。保持部５４によって保持される位置に、被保持部５５が形成されている。
【００４１】
図６に示すように、保持部５４は、Ｕ字型の内側で対向する内壁の一方に凸部５４ａが形成されている。凸部５４ａは、搬送部５０に対する原稿供給トレイ５１の回動方向に配列した複数の三角柱側面を有する。凸部５４ａは、原稿供給トレイ５１の回動半径方向の稜線を有する。
【００４２】
図３に示すように、保持部５４及び被保持部５５は、画像読取装置１１の正面側から見た奥側に配置される。これは、画像読取装置１１の正面側に保持部５４及び被保持部５５を配置すると、原稿排出トレイ５３から原稿を取り出す際に保持部５４及び被保持部５５が邪魔になるからである。また、自動原稿搬送装置１４を画像読取装置１１の奥側へ回動してプラテンガラス１６の上面を開放したとき、原稿排出トレイ５３上の原稿が保持部５４及び被保持部５５で支持されて、画像読取装置１１の背面側に落下しないで済むからである。
【００４３】
図６に示すように、凸部５４ａは、保持部５４が有する原稿の搬送方向に直角な幅方向に対向する２つの面の内、画像読取装置１１の奥側に向かう面に形成されている。これは、図３に示すように、原稿押さえカバー１７を矢印Ｆ方向へ９０度回動させて原稿押さえカバー１７を起立させた際に、原稿排出トレイ５３の自重が凸部５４ａと被保持部５５の当接圧を高めて、両者を係合保持するからである。逆に言えば、凸部５４ａが保持部５４の対向する２つの面の内、画像読取装置１１の正面側に向かう面に形成されている場合、原稿押さえカバー１７を９０度回動させると、凸部５４ａと被保持部５５の係合が外れてしまうからである。
【００４４】
図７に示すように、原稿押さえカバー１７からリブ状に立ち上がった壁部４５の一部分を占めて被保持部５５が形成されている。被保持部５５の凹部５５ａは、図６に示す保持部５４の凸部５４ａに係合する。凹部５５ａは、凸部５４ａの複数の三角柱側面に噛み合う複数の三角柱側面を有する。凹部５５ａは、凸部５４ａの稜線に噛み合う谷線を有する。
【００４５】
凹部５５ａは、被保持部５５が有する２つの面の内、画像読取装置１１の正面側に向かう面に形成されている。これは、図３に示すように、原稿押さえカバー１７を矢印Ｆ方向へ９０度回動させて原稿押さえカバー１７を起立させた際に、原稿排出トレイ５３の自重が凸部５４ａと凹部５５ａの当接圧を高めて、両者を係合保持するからである。逆に言えば、凹部５５ａが被保持部５５の対向する２つの面の内、画像読取装置１１の奥側に向かう面に形成されている場合、原稿押さえカバー１７を９０度回動させると、凸部５４ａと凹部５５ａの係合が外れてしまうからである。
【００４６】
被保持部５５の上部の第一傾斜部５６は、被保持部５５の他の傾斜部よりも傾斜面が長くなっている。これは、原稿供給トレイ５１の保持部５４と原稿押さえカバー１７の被保持部５５とが互いに傾斜面で接触して係合する際に、凸部５４ａと第一傾斜部５６とが最初に接触して係合するからである。第一傾斜部５６の傾斜面を長くすることで、原稿供給トレイ５１と原稿押さえカバー１７の回動軸線方向の位置ずれを自動的に修正して、保持部５４と被保持部５５の係合を容易にすることができるからである。
【００４７】
図８に示すように、原稿供給トレイ５１は、搬送部（５０：図５）に固定された一対の支持部材５７ａ、５７ｂに、原稿供給トレイ５１の回動軸５１ｃ、５１ｄを挿入することにより、搬送部５０に対して回動自在に支持されている。原稿供給トレイ５１の奥行方向の両端に軸支持部５１ａ、５１ｂが設けられ、軸支持部５１ａ、５１ｂに回動軸５１ｃ、５１ｄが固定されている。支持部材５７ａ、５７ｂは、回動軸５１ｃ、５１ｄに対して回動自在であるとともに、回動軸５１ｃ、５１ｄに沿って数ｍｍ移動可能である。
【００４８】
図９に示すように、回動軸５１ｃの内側に圧縮コイルばね５８を設け、原稿供給トレイ５１を回動軸線方向に沿って画像読取装置１１の奥側へ向かって穏やかに付勢している。圧縮コイルばね５８は、一定の圧力で保持部５４の凸部５４ａと被保持部５５の凹部５５ａの係合が深まる方向に原稿供給トレイ５１を押圧している。
【００４９】
ここで、圧縮コイルばね５８が無い場合、図１０に示すように、保持部５４に被保持部５５が保持されたとき、保持部５４と被保持部５５の間には隙間５９があるため、凸部５４ａと凹部５５ａの係合が外れる可能性がある。このため、圧縮コイルばね５８を設けて原稿供給トレイ５１を奥側に押圧して、図１１に示すように、隙間５９を凹部５５ａの反対側へ移動させて、凸部５４ａと凹部５５ａとを係合保持している。
【００５０】
図３に示すように、原稿押さえカバー１７が閉じられて非傾動状態である場合、圧縮コイルばね５８の付勢力によって、図１１に示すように、原稿供給トレイ５１と原稿押さえカバー１７とは係合状態にある。しかし、圧縮コイルばね５８が原稿供給トレイ５１を付勢する力が緩やかであるため、原稿供給トレイ５１を手で持って矢印Ｅ方向に回動するだけで、保持部５４と被保持部５５の係合が容易に解除される。
【００５１】
また、逆に、原稿供給トレイ５１を矢印Ｅ方向の反対方向に回動させる場合、凸部５４ａと凹部５５ａとが接触する傾斜面の傾きが緩やかであるため、凸部５４ａが凹部５５ａの傾斜面に沿ってスライドして係合する。このため、原稿供給トレイ５１を原稿押さえカバー１７へ容易に係合させることが可能である。
【００５２】
一方、図３に示すように、原稿押さえカバー１７を矢印Ｆ方向へ９０度回動させて開放状態にした場合、図１２に示すように、原稿供給トレイ５１の重量Ｗが凸部５４ａと凹部５５ａの当接圧力を大きく高める。その結果、保持部５４に対して被保持部５５が強力に係合保持され、原稿供給トレイ５１を手で引張って回動させようとしても回動させることができなくなる。保持部５４と被保持部５５の当接面に、圧縮コイルばね５８の付勢と原稿供給トレイ５１の重量Ｗとが作用して、凸部５４ａが凹部５５ａに対して強固に係合保持される。これにより、原稿押さえカバー１７を開放した際に原稿供給トレイ５１が不意に開放してばたつく事態を防ぐことができる。
【００５３】
なお、原稿押さえカバー１７が閉じられた状態で、原稿供給トレイ５１を矢印Ｅ方向に回動させる場合、圧縮コイルばね５８が付勢する反対方向へ原稿供給トレイ５１を引っ張ってもよい。これにより、図１０に示すように、凸部５４ａと凹部５５ａの係合を解除して、原稿供給トレイ５１をさらに容易に回動することができる。
【００５４】
図１１に示すように、凸部５４ａ及び凹部５５ａは、保持部５４の対向する一方の壁面と壁部４５との間に設けられている。原稿供給トレイ５１と原稿押さえカバー１７が係合している状態で、凹部５５ａの反対側に隙間５９が形成される。隙間５９は、凹部５５ａの深さ以上の幅があるため、原稿供給トレイ５１の開閉に際して、凹部５５ａの傾斜面に沿った凸部５４ａの移動を妨げない。
【００５５】
図８に示すように、保持部５４は、原稿供給トレイ５１の上流側６０に設けられている。このため、原稿供給トレイ５１の上流側６０を持ち上げて保持部５４と被保持部５５の係合を容易に解除可能であるにもかかわらず、原稿押さえカバー１７に対して原稿供給トレイ５１を強固にロック可能である。
【００５６】
（実施の形態１の効果）
実施の形態１では、原稿供給トレイ５１は、その回動軸線に沿った方向に移動可能であって、保持部５４及び被保持部５５は、搬送部５０の傾動に伴って係合する一種のクラッチを構成している。保持部５４及び被保持部５５は、圧縮コイルばね５８の付勢力により原稿供給トレイ５１と搬送部５０とを係合保持する。このため、原稿押さえカバー１７が閉じられた状態では、原稿供給トレイ５１が回動自在であり、原稿押さえカバー１７が開放された状態では、原稿供給トレイ５１が回動しないようロックされる。これにより、原稿供給トレイ５１上にある原稿の落下や原稿供給トレイ５１の損傷を防止できる。
【００５７】
実施の形態１では、保持部５４及び被保持部５５は、原稿供給トレイ５１に沿って回動軸線から原稿供給トレイ５１の回動半径方向に離れた位置に設けられている。このため、保持部５４及び被保持部５５の係合力が小さくても、原稿押さえカバー１７の回動に抵抗する大きなモーメントを発生させることができる。また、原稿供給トレイ５１と自動原稿搬送装置１４の係合／非係合を外部から視認できるため、原稿供給トレイ５１を開放したままで原稿押えカバー１７を不用意に開放してしまうことを防止できる。
【００５８】
実施の形態１では、被保持部５５は、原稿押さえカバー１７に設けられ、原稿供給トレイ５１の回動軸線に沿った方向の凹部５５ａを有する。他方、保持部５４は、原稿供給トレイ５１に設けられ、凹部５５ａに噛み合う回動軸線に沿った方向の凸部５４ａを有する。このため、凸部５４ａを凹部５５ａに噛み合せた大きな回動抵抗力を原稿供給トレイ５１に作用させることができる。
【００５９】
実施の形態１では、凹部５５ａは、同一ピッチかつ同一形状で搬送部５０に対する原稿供給トレイ５１の回動方向に配列させて複数設けられ、凸部５４ａは、複数の凹部５５ａにそれぞれ噛み合うように複数設けられている。このため、複数の凸部及び凹部に分散させた大きな回動抵抗力を原稿供給トレイ５１に作用させることができる。
【００６０】
実施の形態１では、弾性部材の一例である圧縮コイルばね５８は、原稿供給トレイ５１と搬送部５０とを係合させるように原稿供給トレイ５１を回動軸線に沿った方向に付勢する。このため、原稿押さえカバー１７を開放する初期段階でも原稿供給トレイ５１の回動を阻止できる。
【００６１】
実施の形態１では、凹部５５ａの傾斜面が、原稿供給トレイ５１の回動に伴って凸部５４ａと凹部５５ａとを離す方向に付勢する。そして、搬送部５０の非傾動状態では、原稿供給トレイ５１の回動に伴って凹部５５ａの傾斜面が圧縮コイルばね５８の付勢に逆らって凸部５４ａと凹部５５ａとを離れる方向に移動させる。このため、搬送部５０の非傾動状態では、凸部５４ａと凹部５５ａとの噛み合いによって、原稿供給トレイ５１の回動が妨げられない。
【００６２】
＜その他の実施の形態＞
本発明のシート処理装置は、実施の形態１で説明した具体的な構成及び制御には限定されない。実施の形態１の構成の一部又は全部を等価な部材に置き換えた別の実施の形態でも実施可能である。
【００６３】
実施の形態１では、画像読取装置の実施例を説明したが、シートの供給先は画像読取装置には限定されない。シートの供給先は、インクジェットプリンタ、電子写真方式のプリンタ、ファクシミリ、複写機、複合機等の画像形成処理であってもよい。
【００６４】
例えば、図１に示すように、画像形成装置１０において、外部からのシート給送動作を可能とする手差し給送トレイ１５の搬送部５０Ｂにおける実施の形態でも実施できる。
【符号の説明】
【００６５】
１０  画像形成装置、１１  画像読取装置、１４  自動原供給送装置
１７  原稿押さえカバー、５０、５０Ｂ  搬送部、５１  原稿供給トレイ
５１ａ、５１ｂ  軸支持部、５１ｃ、５１ｄ  回動軸
５２  カバー、５３  原稿排出トレイ、５４  保持部
５４ａ  凸部、５５  被保持部、５５ａ  凹部
５６  第一傾斜部、５７ａ、５７ｂ  支持部材、５８  圧縮コイルばね
５９  隙間、６０  上流側、６１  ヒンジ
【図１】
2017081732.tif 000003
【図２】
2017081732.tif 000004
【図３】
2017081732.tif 000005
【図４】
2017081732.tif 000006
【図５】
2017081732.tif 000007
【図６】
2017081732.tif 000008
【図７】
2017081732.tif 000009
【図８】
2017081732.tif 000010
【図９】
2017081732.tif 000011
【図１０】
2017081732.tif 000012
【図１１】
2017081732.tif 000013
【図１２】
2017081732.tif 000014